(57)【要約】      （修正有）【課題】小型で且つマイク・スピーカ各々の本来の性能を損なわないデジタルカメラおよび音声記録再生装置を提供する。【解決手段】デジタルカメラ１１はマイク１４とスピーカ１２を備え、マイク１４とスピーカ１２は共にフレーム１０に固定されている。アクチュエータ２０の動作とバネ１８の反発力によりフレーム１０はストッパ２２で規制される範囲内を移動することができる。これにより記録（録音）時にはフレーム１０をマイク穴１６Ｂに近づけるように移動すれば、マイク１４はマイク穴１６Ｂに近い位置に置かれることになる。また音声再生時には、フレーム１０をスピーカ穴１６Ａから遠ざけるように移動すれば、スピーカ１２はスピーカ穴１６Ａから遠い位置に置かれることになる。【選択図】図３
2005252562.tif 000002
【特許請求の範囲】
【請求項１】
マイクと、
スピーカと、
前記マイクと前記スピーカとを保持する保持部材と、
を備え、
前記保持部材が外装部材に対して可動であることを特徴とするデジタルカメラ。
【請求項２】
前記マイクが作動する時は前記保持部材が前記外装部材に接近し、
前記スピーカが作動する時は前記保持部材が前記外装部材から離間することを特徴とする請求項１に記載のデジタルカメラ。
【請求項３】
マイクと、
スピーカと、
前記マイクと前記スピーカとを保持する保持部材と、
を備え、
前記保持部材が外装部材に対して可動であることを特徴とする音声記録再生装置。
【請求項４】
前記マイクが作動する時は前記保持部材が前記外装部材に接近し、
前記スピーカが作動する時は前記保持部材が前記外装部材から離間することを特徴とする請求項３に記載の音声記録再生装置。
【発明の詳細な説明】
【技術分野】
【０００１】
本発明は、デジタルカメラおよび音声記録再生装置に関する。
【背景技術】
【０００２】
近年、携帯電話や音声機能付きデジタルカメラ、デジタルビデオカメラなど、音声入出力装置としてマイク、スピーカを備えた携帯機器が広く使用されている。
【０００３】
このような機器は携帯性を重視するためマイク・スピーカを一体として筐体に固定したものなどが提案されている。しかし、その内容は組み立て性の向上、スイッチ動作の容易性といった部分に着目しており、マイク・スピーカの性能にまで言及したものではない。
【０００４】
元来マイクは音声入力の性質上、その特性を生かすためには可能な限り外装面に近い部分に配置する必要がある。それに対してスピーカはコーン部分が振動するため、外装との共振を防止するには外装面から一定の間隔をあける必要がある。
【０００５】
また製品小型化のためにマイク・スピーカを一体とする必要がある場合、上記のように相反する要求を同じ部材の上で満足するように、すなわちマイクは外装部材に近く、スピーカは外装部材から遠くに設置する必要がある。
【０００６】
通話時にマイクの方向を変えて音声を拾いやすくする携帯電話機が提案されている（例えば特許文献１参照）。しかしこれはマイクの性能のみ向上させるアイデアであって、スピーカと外装部材の共振や装置の小型化といった問題を解決していない。
【０００７】
すなわち携帯電話であれば、通話時には相手の話を聞く・自分が話すというスピーカ・マイクの機能を交互に使用し、デジタルカメラやデジタルビデオカメラであれば音声記録時にはスピーカを使用せず、再生時にはマイクを使用しない点が考慮されていない。
【特許文献１】特開２０００−２７００６７号公報
【発明の開示】
【発明が解決しようとする課題】
【０００８】
本発明は上記事実を考慮し、小型で且つマイク・スピーカ各々の本来の性能を損なわないデジタルカメラおよび音声記録再生装置を提供することを課題とする。
【課題を解決するための手段】
【０００９】
請求項１に記載のデジタルカメラは、マイクと、スピーカと、前記マイクと前記スピーカとを保持する保持部材と、を備え、前記保持部材が外装部材に対して可動であることを特徴とする。
【００１０】
上記構成の発明では、マイクとスピーカを同一部材に取付け、マイク・スピーカそれぞれの動作タイミングに合わせ、それぞれ最適な位置に移動させることができる。
。
【００１１】
請求項２に記載のデジタルカメラは、前記マイクが作動する時は前記保持部材が前記外装部材に接近し、前記スピーカが作動する時は前記保持部材が前記外装部材から離間することを特徴とする。
【００１２】
上記構成の発明では、マイクとスピーカを同一部材に取付け、マイク・スピーカそれぞれの動作タイミングに合わせ、マイク作動時には外装部材に近く、スピーカ作動時には外装部材から遠く、それぞれ最適な位置に移動させることができる。
【００１３】
請求項３に記載の音声記録再生装置は、マイクと、スピーカと、前記マイクと前記スピーカとを保持する保持部材と、を備え、前記保持部材が外装部材に対して可動であることを特徴とする。
【００１４】
上記構成の発明では、マイクとスピーカを同一部材に取付け、マイク・スピーカそれぞれの動作タイミングに合わせ、それぞれ最適な位置に移動させることができる。
。
【００１５】
請求項４に記載の音声記録再生装置は、前記マイクが作動する時は前記保持部材が前記外装部材に接近し、前記スピーカが作動する時は前記保持部材が前記外装部材から離間することを特徴とする。
【００１６】
上記構成の発明では、マイクとスピーカを同一部材に取付け、マイク・スピーカそれぞれの動作タイミングに合わせ、マイク作動時には外装部材に近く、スピーカ作動時には外装部材から遠く、それぞれ最適な位置に移動させることができる。
【発明の効果】
【００１７】
以上説明したように、本発明によれば、小型で且つマイク・スピーカ各々の本来の性能を損なわないデジタルカメラおよび音声記録再生装置とできる。
【発明を実施するための最良の形態】
【００１８】
図１には本発明の第１実施形態に係るデジタルカメラが示されている。
【００１９】
デジタルカメラ１１はケース１６で覆われ、内部にマイク１４とスピーカ１２を備えている。スピーカ１２とマイク１４はそれぞれケース１６に設けられたスピーカ穴１６Ａから音声信号を出力し、、マイク穴１６Ｂから外部の音を録音する。
【００２０】
図２および図３には本発明の第１実施形態に係るデジタルカメラの内部構造が示されている。
【００２１】
図２に示すようにデジタルカメラ１１はマイク１４とスピーカ１２を備え、マイク１４とスピーカ１２は共にフレーム１０に固定されている。フレーム１０はケース１６に固定されておらず、一定の範囲で移動可能に支持されている。
【００２２】
すなわち、図３のすようにフレーム１０はバネ１８とアクチュエータ２０によって図中の矢印方向に移動可能に支持されている。アクチュエータ２０の動作とバネ１８の反発力によりフレーム１０はストッパ２２で規制される範囲内を移動することができる。
【００２３】
これにより記録（録音）時にはフレーム１０をマイク穴１６Ｂに近づけるように移動すれば（図中では上方）、マイク１４はマイク穴１６Ｂに近い位置（図中では上方）に置かれることになるので、外部の音を明澄に拾い、記録（録音）することができる。
【００２４】
また音声再生時には、フレーム１０をスピーカ穴１６Ａから遠ざけるように移動すれば（図中では下方）、スピーカ１２はスピーカ穴１６Ａから遠い位置（図中では下方）に置かれることになるので、スピーカ１２からの音声によってスピーカ穴１６Ａ近傍のケース１６が不快な共振を起こすことがない。
【００２５】
図４には本発明の第１実施形態に係るデジタルカメラの制御を示すブロック図が示されている。
【００２６】
図４のように、制御部２２では撮影・記録の制御に加えてスピーカ１２とマイク１４の移動制御すなわちアクチュエータ２０の制御をも行っている。これによりスピーカ１２の作動時、マイク１４の作動時にアクチュエータ２０を制御し、それぞれの動作に最適な位置へフレーム１０を移動させることでマイク１４の性能を最大限に維持しながらスピーカ１２によるケース１６の共振を押さえ、かつマイク１４とスピーカ１２をひとつのフレーム１０に納めることで装置全体を小型化することができる。
【００２７】
図５には本発明の第２実施形態に係る携帯電話の動作例が示されている。
【００２８】
図５に示すように携帯電話１１はマイク１４とスピーカ１２を備え、マイク１４とスピーカ１２は共にフレーム１０に固定されている。フレーム１０はケース１６に固定されておらず、一定の範囲で移動可能に支持されている。
【００２９】
これによりマイク１４は作動時に使用者の口元に近い位置（図中では上方）、スピーカ１２は作動時にケース１６のスピーカ穴１６Ａから遠い位置（図中では下方）にくるように制御することができる。
【００３０】
すなわち、マイク１４が音声信号を検知したときアクチュエータ２０が作動しフレーム１０を押し、スピーカ１２への音声信号を出力する時はアクチュエータ２０は引込みバネ１８の反発力でフレーム１０が押し下げられる。
【００３１】
これにより図５（ａ）のように使用者が話す（送話する）時、すなわちマイク１４が作動する時はアクチュエータ２０が作動しバネ１８を押しながらフレーム１０を押し上げ、マイク１４がマイク穴１６Ｂに近づくので、マイク１４は外部の（使用者の）音声を明瞭に拾うことができる。
【００３２】
図５（Ｂ）のように使用者が聞く（受話する）時、すなわちスピーカ１２が作動する時はアクチュエータ２０が引込み、バネ１８の反発力でフレーム１０を押し下げ、スピーカ１２がスピーカ穴１６Ａから遠ざかるので、スピーカ１２からの音声によってスピーカ穴１６Ａ近傍のケース１６が不快な共振を起こすことがない。
【００３３】
本発明は上記実施例以外にもビデオカメラ、通信機など音声記録（入力）・再生機能を備えた機器に応用することができる。
【図面の簡単な説明】
【００３４】
【図１】図１は、実施形態１に係るデジタルカメラの外観を示す斜視図である。
【図２】図２は、実施形態１に係るデジタルカメラの構造を示す斜視図である。
【図３】図３は、実施形態１に係るデジタルカメラの構造を示す断面図である。
【図４】図４は、実施形態１に係るデジタルカメラの構造を示すブロック図である。
【図５】図５は、実施形態２に係る携帯電話の動作を示す図である。
【符号の説明】
【００３５】
１０      フレーム
１２      スピーカ
１４      マイク
１６      ケース
１８      バネ
２０      アクチュエータ
【図１】
2005252562.tif 000003
【図２】
2005252562.tif 000004
【図３】
2005252562.tif 000005
【図４】
2005252562.tif 000006
【図５】
2005252562.tif 000007